(57)【要約】【課題】本発明の目的は、階段の上方端部と上階床面との間の接合部分において、より高い接合性と防水性とを実現することが可能な階段接合部防水部材を提供することにある。【解決手段】階段上端部と、上層階の床との連結部分において、床の骨格となる床梁Ｔ１から、床の前記階段側に備えられる見切壁２２を貫通して、階段上端部に持ち出され、階段上端部と床梁Ｔ１とを連結する接合金物３が備えられており、見切壁２２には、接合金物３が貫通する前面側接合金物配設孔Ｈ１が形成されており、見切壁２２の上部には、境界部２１が配設されるとともに、この境界部２１からは、前面側接合金物配設孔Ｈ１の後方へと垂下する水切り部材２４が配設されており、階段接合部防水部材は、前面側接合金物配設孔Ｈ１に配設されるとともに、水切り部材２４に対向して配置されている。【選択図】図１
2015135006.tif 000002
【特許請求の範囲】
【請求項１】
階段上端部と、上層階の床との連結部分において、
前記床の骨格となる床梁から、前記床の前記階段側に備えられる見切壁を貫通して、前記階段上端部に持ち出され、前記階段上端部と前記床梁とを連結する接合金物が備えられており、
前記見切壁には、前記接合金物が貫通する前面側接合金物配設孔が形成されており、
前記見切壁の上部には、境界部が配設されるとともに、該境界部からは、前記前面側接合金物配設孔の後方へと垂下する水切り部材が配設されており、
前記前面側接合金物配設孔に配設されるとともに、前記水切り部材に対向して配置されていることを特徴とする階段接合部防水部材。
【請求項２】
前記前面側接合金物配設孔に嵌合するとともに、該前面側接合金物配設孔の前記床梁側の少なくとも一部を覆う筐体状の内挿部が形成されていることを特徴とする請求項１に記載の階段接合部防水部材。
【請求項３】
前記階段接合部防水部材は、筐体状の前記内挿部と、該内挿部の開口周囲に延在するフランジ状のフランジ部と、を備えて構成されており、
前記内挿部は、前記前面側接合金物配設孔に嵌合するとともに、前記床梁側へ突出しており、
前記フランジ部は、前記見切壁の前記階段側面に積層されて取付けられることを特徴とする請求項１又は請求項２に記載の階段接合部防水部材。
【請求項４】
前記内挿部には、前記接合金物が前記床張り方向に突出する後方貫通孔が形成されており、
前記水切り部材は、前記後方貫通孔に対向して配置されていることを特徴とする請求項１乃至請求項３いずれか一項に記載の階段接合部防水部材。
【請求項５】
前記内挿部の開口部と、前記接合金物と、の隙間には、シーリング材が配設されていることを特徴とする請求項１乃至請求項４いずれか一項に記載の階段接合部防水部材。
【請求項６】
前記階段は、屋外に設置される屋外階段であることを特徴とする請求項１乃至請求項５いずれか一項に記載の階段接合部防水部材。
【発明の詳細な説明】
【技術分野】
【０００１】
本発明は、階段が設置された建物構造において、階段の上端部を上階床に接合する際の当該接合箇所へ適用される防水部材に関する。
【背景技術】
【０００２】
建物において、下階床と上階床とを連結し、上下階への移動経路とする階段が設置されることは一般的である。
このように階段を設置するに際して、下階床から立設された階段上端部を上階床に接合する必要がある。
このような階段を取付ける一般的な技術が提案されている（例えば、特許文献１参照）。
【０００３】
特許文献１においては、階段の接合構造が開示されている。
特許文献１の技術においては、床梁から張り出した鋼製の腕木に、階段の上端部が固定される。
そして、その階段上端部のモルタルと、被接合部である上階床（歩行部）のモルタルとは、接合部分において縁切りされており、この縁切りにより形成された隙間により浸漬した水を排水可能に構成されている。
【先行技術文献】
【特許文献】
【０００４】
【特許文献１】特許第４２４３２０３号公報
【発明の概要】
【発明が解決しようとする課題】
【０００５】
このように、従来の技術においては、階段上端部と上階床とを接合する技術及び、当該部分における排水の工夫がなされている。
しかし、階段上端部と上階床との接合部に対する防水に関しては、特許文献１に記載の排水用隙間により水分を排水するのみならず、更なる高い防水性を確保するための検討が求められていた。
また一方、一般的に、建物において、上階に設置された出入口を階下より利用するために架け渡された屋外階段が設置されることがある。
このような構造を採る場合、上階に設置された出入口下部に屋外配設の踊り場が設置され、下階床（若しくは、地表面）よりこの踊り場へ向けて屋外階段が設置される。
このような場合、屋外階段及びこの周りに雨水が到達するため、更により高い防水対策が必要である。
よって、特許文献１に記載の排水用隙間により水分を排水するのみならず、屋外においても、雨水等の躯体側への浸入を確実に遮断する高い防水処置が求められている。
つまり、屋内外、特に、屋外において、高い接合強度を実現するとともに、当該接合部位に高い防水性を確立することが必要とされていた。
【０００６】
本発明の目的は、上記各問題点を解決することにあり、階段の上方端部と上階床面との間の接合部分において、より高い接合性と防水性とを実現することが可能な階段接合部防水部材を提供することにある。
【課題を解決するための手段】
【０００７】
上記課題は、請求項１に係る階段接合部防水部材によれば、階段上端部と、上層階の床との連結部分において、前記床の骨格となる床梁から、前記床の前記階段側に備えられる見切壁を貫通して、前記階段上端部に持ち出され、前記階段上端部と前記床梁とを連結する接合金物が備えられており、前記見切壁には、前記接合金物が貫通する前面側接合金物配設孔が形成されており、前記見切壁の上部には、境界部が配設されるとともに、該境界部からは、前記前面側接合金物配設孔の後方へと垂下する水切り部材が配設されており、前記前面側接合金物配設孔に配設されるとともに、前記水切り部材に対向して配置されていることにより解決される。
【０００８】
階段上端部は、接合金物によって床梁と連結されている。
更に、床梁と階段上部との間には、防水性及び意匠性の観点から見切壁が配置される。
このように構成されているため、見切壁に形成された前面側接合金物配設孔を通過させて、接合金物を床梁から階段方向へ持ち出す必要がある。
このため、前面側接合金物配設孔から雨水等が浸入する慮があるが、本発明においては、前面側接合金物配設孔に階段接合部防水部材を配設するとともに、この前面側接合金物配設孔に対向して水切り部材を配置した。
これにより、前面側接合金物配設孔を閉塞して雨水等が浸入することを防止することができるとともに、当該箇所を通過して躯体側に雨水等が浸入することがあっても、この水切り部材により、これ以上の躯体側への浸入を防止することができる。
また、接合部材により、階段上部が床梁から取付けられるため、高い接合性を実現することができる。
【０００９】
このとき、請求項２に記載のように、前記前面側接合金物配設孔に嵌合するとともに、該前面側接合金物配設孔の前記床梁側の少なくとも一部を覆う筐体状の内挿部が形成されていると好適である。
このように構成されていると、階段接合部防水部材を構成する内挿部によって、前面側接合金物配設孔の床梁側の少なくとも一部を覆うことができる。
このため、見切壁の階段側から雨水等が浸入することをより有効に阻害することができるとともに、当該内挿部によって、雨水等がこれ以上躯体側に浸入することを有効に回避することができる。
【００１０】
このとき、具体的には、請求項３に記載されたように、前記階段接合部防水部材は、筐体状の前記内挿部と、該内挿部の開口周囲に延在するフランジ状のフランジ部と、を備えて構成されており、前記内挿部は、前記前面側接合金物配設孔に嵌合するとともに、前記床梁側へ突出しており、前記フランジ部は、前記見切壁の前記階段側面に積層されて取付けられるよう構成されていると、取付性作業性の向上や取付強度を確保することができるため好適である。
また、内挿部の開口周囲からフランジ状（つまり外側に向かって）延出するフランジ部においては、内挿部の開口よりも内側に延出するようにフランジ部を形成してもよい。
つまり、フランジ部の開口部面積を、内挿部の開口面積より小さくするように構成すると、より雨水等の浸入を有効に防止することができるため好適である。
【００１１】
また、このとき、請求項４に記載されたように、前記内挿部には、前記接合金物が前記床張り方向に突出する後方貫通孔が形成されており、前記水切り部材は、前記後方貫通孔に対向して配置されていると好適である。
このように構成されていると、内挿部を通過して躯体側に雨水等が浸入することがあっても、この水切り部材により、これ以上の躯体側への浸入を防止することができる。
【００１２】
また、このとき、請求項５に記載されたように、前記内挿部の開口部と、前記接合金物と、の隙間には、シーリング材が配設されていると好適である。
更には、このとき、前記階段は、屋外に設置される屋外階段であると好適である。
このように、更に、シーリング材が備えられると、より防水性が向上するため好適である。
そして、本発明のように、何重にも設定された防水構造を有していると、雨水等に曝される頻度が高い屋外階段において、有効に適用することができる。
【発明の効果】
【００１３】
本発明によれば、階段上端部と床梁が接合金物によって連結されており、床梁と階段上部との間に見切壁が配置されるとともに、見切壁に形成された前面側接合金物配設孔を通過させて、接合金物を床梁から階段方向へ持ち出された構造の防水性を確実に高く維持することができる。
つまり、前面側接合金物配設孔から雨水等が浸入する可能性を低下させ、当該部分に階段接合部防水部材を構成する内挿部によって、前面側接合金物配設孔の床梁側の少なくとも一部を覆うことができるため、見切壁の階段側から雨水等が浸入することを阻害することができるとともに、当該内挿部によって、雨水等がこれ以上躯体側に浸入することを有効に回避することができる。
また、水切り材やシーリング材を更に適用することによって、何重にも組み立てられた高い防水性を発揮することができる。
更に、このような構造は、雨水等に曝される頻度が高い屋外階段において、好適に使用され、階段の上方端部と上階床面との間の接合部分において、より高い接合性と防水性とを共に実現することができる。
また更に、接合部材により、階段上部が床梁から取付けられるため、高い接合性を実現することができる。
【図面の簡単な説明】
【００１４】
【図１】本発明の一実施形態に係る階段接合部防水部材の適用箇所である屋外階段を示す側面説明図である。
【図２】本発明の一実施形態に係る屋外階段の上面説明図である。
【図３】図２のＡ−Ａ線断面図である。
【図４】本発明の一実施形態に係る接合部ユニットの分解説明図である。
【図５】本発明の一実施形態に係る階段接合部防水部材の正面図及び斜視図である。
【図６】本発明の一実施形態に係る階段接合部防水部材の使用状態分解斜視図である。
【図７】本発明の一実施形態に係る階段接合部防水部材の使用状態斜視図である。
【図８】本発明の一実施形態に係る階段接合部防水部材の止水性を示す斜視説明図である。
【図９】本発明の一実施形態に係る階段接合部防水部材の止水構造を示す説明図である。
【発明を実施するための形態】
【００１５】
以下、本発明の一実施形態を図面に基づいて説明する。
なお、以下に説明する構成は本発明を限定するものではなく、均等範囲を含むことはもちろんのこと、本発明の趣旨の範囲内で種々改変することができるものである。
本実施形態は、屋外階段の上方端部と上階床面との間の接合部分において、より高い接合性と防水性とを実現することが可能な屋外階段接合部防水部材に関するものである。
【００１６】
図１乃至図９は、本発明に係る一実施形態を示すものであり、図１は階段接合部防水部材の適用箇所である屋外階段を示す側面説明図、図２は屋外階段の上面説明図、図３は図２のＡ−Ａ線断面図、図４は接合部ユニットの分解説明図、図５は階段接合部防水部材の正面図及び斜視図、図６は階段接合部防水部材の使用状態分解斜視図、図７は階段接合部防水部材の使用状態斜視図、図８は階段接合部防水部材の止水性を示す斜視説明図、図９は階段接合部防水部材の止水構造を示す説明図である。
【００１７】
本実施形態においては、図１及び図２に示すように、上階の外壁を開口した出入口の屋外床と、地表面とを連絡する屋外階段Ｒを例にして、本発明を適用した例を示す。
しかしながら、これに限られるものではなく、階層はどのような階層を連絡するものでよいことはもちろんのこと、結露水等の排除を鑑みれば、屋内に設置された階段においても好適に使用することも可能である。
つまり、本発明の趣旨を逸脱しない範囲において、どのような階段、梯子等の接合に使用されていてもよい。
【００１８】
図１に、本実施形態に係る階段接合部防水部材１を含む、接合部ユニットＳが使用される場所の外観側面図を示す。
図１に示すように、本実施形態においては、２階部分の壁面に出入口用の開口、及びこの開口に取付けられたドアＰ１が設けられており、このドアＰ１の下端下方から、外側方向に延出したデッキＰ２が備えられている。
本実施形態に係る屋外階段Ｒは、地表面からデッキＰ２に渡って斜めに架けられた階段であり、昇降者は、地表面から屋外階段Ｒを通過してデッキＰ２に至り、ドアＰ１にアクセス可能となっている（逆も同様）。
階段下端は、ガレージ基礎Ｐ３に固定されており、モルタルの階段ポーチＰ４にて接合部分付近が被覆されている。
【００１９】
図３乃至図７により、本実施形態に係る階段接合部防水部材１を含んで構成された接合部ユニットＳについて説明する。
図３及び図４に示すように、本実施形態に係る接合部ユニットＳは、階段接合部防水部材１、階段見切材２、接合金物３、補助接合金物４を主要構成として形成されている。
本実施形態に係る階段見切材２は、略矩形筒状の境界部２１と、見切壁２２と、下方配置壁２３と、を基本構成として構成されている。
【００２０】
境界部２１は、略矩形筒状であり、両開口部を間口方向に向けて配設される。
そして、この上面部分は、屋外階段登り口の境界部（所謂「沓摺面」）となる。
便宜上、境界部２１の上方の矩形壁を境界壁２１Ａと記し、この境界壁２１Ａと（平行に）対向して下方に配設される矩形壁を下面壁２１Ｂ（境界壁２１Ａと同一形状である）と記す。また、境界壁２１Ａと下面壁２１Ｂとを連結している２つの側壁の内、前面（屋外階段Ｒ設置側）に配置される側の壁を前面側壁２１Ｃと記し、この前面側壁２１Ｃと前後方向に（平行に）対向して配設される後面側壁２１Ｄ（前面側壁と同一形状である）と記す。
このように、境界部２１は、境界壁２１Ａ、下面壁２１Ｂ、前面側壁２１Ｃ、後面側壁２１Ｄにより、略矩形筒状に形成されることとなる。
【００２１】
見切壁２２は、階段見切材２を構成する前面側壁２１Ｃから、下方向へ垂下する略矩形状の壁であり、下方配置壁２３は、見切壁２２の下端辺から、見切壁２２と垂直に後方へ向かって延出する略矩形状の壁である。
また、見切壁２２と下方配置壁２３との連続部分の一部を切り欠くように、接合金物配設孔Ｈが形成されている（図の例では、２個の接合金物配設孔Ｈが形成されている）。
【００２２】
この接合金物配設孔Ｈは、見切壁２２を上下方向に切り欠く矩形長孔（以下、当該部分を「前面側接合金物配設孔Ｈ１」と記す）と、これと連通して下方配置壁２３を前後方向に切り欠く矩形長孔（以下、当該部分を「下面側接合金物配設孔Ｈ２」と記す）と、で形成された孔部である。
【００２３】
本実施形態に係る接合金物３は、本体部３１と、階段接合部３２と、梁接合部３３と、を有して構成される鋼製部材である。
本体部３１は、略矩形状平板であり、その前端部には、矩形状の階段接合部３２が溶接されている。
この本体部３１の上下方向の高さは、下面壁２１Ｂと下方配置壁２３との距離に整合するように構成されている。
なお、階段接合部３２には、ボルト孔Ｖ１が形成（本例では、４個形成）されている。
また、本体部３１の後端部の下方には、矩形状の梁接合部３３が溶接されている。
【００２４】
この梁接合部３３には、ボルト孔Ｖ２が形成（本例では、４個形成）されている。
なお、鋼製の床梁Ｔ１（本例では、Ｈ型鋼）や、階段上端部には、当該ボルト孔Ｖ１，Ｖ２に整合するボルト孔が形成されており、これらを整合させてボルト締結することにより、接合金物３は、鋼製の床梁Ｔ１（本例では、Ｈ型鋼）や、階段上端部に取付けられる。
補助接合金物４は、鋼製のＬアングルであり、同様に、床梁Ｔ１に取付るためのボルト孔Ｖ３が形成されている。
【００２５】
このように構成された階段見切材２、接合金物３、補助接合金物４は、以下のように組立てられている。
接合金物３は、階段接合部３２が、前面側接合金物配設孔Ｈ１から前方（階段の上端側）へ突出した状態で階段見切材２に溶接されている。
つまり、接合金物３を構成する本体部３１の上下方向の高さは、下面壁２１Ｂと下方配置壁２３との距離に整合するように構成されているため、当該上下接触部分を溶接することにより、接合部材３は、階段接合部３２が、前面側接合金物配設孔Ｈ１から前方（階段の上端側）へ突出した状態で階段見切材２に取付けられる。
本実施形態においては、２個の接合金物３が取付けられている。
【００２６】
また、このとき、梁接合部３３は、階段見切材２の境界部２１よりも後方へと突出している。
同様に、２個の補助接合金物４もまた、階段見切材２（２個の接合金物３よりも各々外側）に取付けられる。
そして、この状態で、ボルト孔Ｖ１，Ｖ２，Ｖ３からのボルト締結により、階段上端及び床梁Ｔ１へと取付けることができる。
【００２７】
次いで、図５及び図６により、本実施形態に係る階段接合部防水部材１について説明する。
本実施形態に係る階段接合部防水部材１は、前面側接合金物配設孔Ｈ１を被覆して、躯体内への水の浸入を阻むものであり、フランジ部１１、内挿部１２を有して構成されている。
フランジ部１１は、略矩形状平板であり、下端辺中央部には、略矩形状に（上方へ向けて）切り欠かれた前方貫通孔部１１ａが形成されている。
【００２８】
内挿部１２は、略筐体状部であり、内挿部側壁１２Ａ，１２Ａ及び内挿部天面壁１２Ｂと、内挿部後面壁１２Ｃと、を有して構成されている。
内挿部側壁１２Ａ，１２Ａは、前方貫通孔１１ａの間口方向に離隔して上下方向に走る周端辺から各々後方に向けて垂直に延出する壁体である。
また、内挿部天面壁１２Ｂは、前方貫通孔１１ａの間口方向に離隔して上下方向に走る両周端辺上端を結ぶように形成された周端辺から後方に向けて垂直に延出する壁体である。
【００２９】
そして、内挿部後面壁１２Ｃは、内挿部側面壁１２Ａ，１２Ａ及び内挿部天面壁１２Ｃの後方側端辺にて形成される略逆Ｕ字形状開口を被覆するように配設された壁体である。
この内挿部後面壁１２Ｃの、下端辺中央部には、略矩形状に（上方へ向けて）切り欠かれた後方貫通孔１２ａが形成されている。
【００３０】
この内挿部１２の外形サイズは、前面側接合金物配設孔Ｈ１のサイズとほぼ同一となるように構成されている。
つまり、前面側接合金物配設孔Ｈ１の内挿部１２が嵌合可能となるように構成されている。
これにより、接合金物３を構成する本体部３１に、階段接合部防水部材１を覆設した状態で、図６の矢印Ｘに示すように、内挿部１２を前面側接合金物配設孔Ｈ１に圧入すると、図７に示すように、階段接合部防水部材１を階段見切材２に取付けることができる。
【００３１】
つまり、階段接合部３２が前方貫通孔１１ａより前方に突出するとともに、梁接合部３３が後方貫通孔１２ａより後方に突出した状態で、階段接合部防水金物１が階段見切材２に取付けられる。
そして、この状態で、ボルトＶ４により、階段接合部防水部材１を階段見切材２の見切壁２２に取付けるとともに、前方貫通孔部１１ａ部分にシーリング材Ｇを配設する。
【００３２】
なお、前方貫通孔部１１ａの開口面積は、内挿部後面壁１２Ｃは、内挿部側面壁１２Ａ，１２Ａ及び内挿部天面壁１２Ｃの後方側端辺にて形成される略逆Ｕ字形状開口の開口面積よりも小さくなるように構成されていてもよい。
つまり、前方貫通孔部１１ａの周端辺よりも外側から内挿部側面壁１２Ａ，１２Ａ及び内挿部天面壁１２Ｃが延出するように構成されていてもよい。
このように構成されていると、開口面積を狭めることができる。
【００３３】
次いで、図８及び図９により、階段接合部防水部材１による防水効果について説明する。
図９のＹ１方向から、浸入した（吹き込んだ）雨水等の水分は、一時的には、階段上端部と、境界部２１と、の間に挿設されるシーリング材Ｇにより止水される。
加えて、このシーリング材Ｇを通過した水分と、欄間パネルＴ２側から吹き込んだ水分とは、見切壁２２及び階段接合部防水部材１を構成するフランジ部１１（及び、前方貫通孔１１ａに挿設されたシーリング材Ｇ）により更に止水される。
【００３４】
また、フランジ部１１（及び、前方貫通孔１１ａに挿設されたシーリング材Ｇ）も通過した水分は、階段接合部防水部材１の内挿部１２を構成する内挿部側壁１２Ａ，１２Ａ及び内挿部天面壁１２Ｂ、内挿部後面壁１２Ｃに衝突し、これ以上内部に侵入することを阻害される。
つまり、水分が躯体内部に拡散することを有効に防止することができる。
そして、内挿部後面壁１２Ｃに形成された後方貫通孔１２ａから内部へ吹き込んだ水分は、この水切り部材２４により、これ以上内部に吹き込むことを阻止されて、階段見切材２の間口方向両端部に押されて、ここから下方へと排出される（Ｚ１及びＺ２のルート参照）。
【００３５】
以上のように、本実施形態に係る接合部ユニットＳによれば、接合金物３をデッキＰ２の床梁Ｔ１から階段見切材２前面側（階段設置側）に持ち出すことができる。
そして、接合金物３（階段接合部３２）は、階段見切材２の見切壁２２に形成された前面側接合金物配設孔Ｈ１から持ち出されるため、当該前面側接合金物配設孔Ｈ１の防水のために、階段接合部防水部材１を備えた。
これにより、何重もの防水構造を構築することができるため、当該構成を、例えば、屋外階段等に有効に適用することができる。
【符号の説明】
【００３６】
Ｓ  接合部ユニット
１  階段接合部防水部材
１１  フランジ部
１１ａ  前方貫通孔
１２  内挿部
１２Ａ  内挿部側壁
１２Ｂ  内挿部天面壁
１２Ｃ  内挿部後面壁
１２ａ  後方貫通孔
２  階段見切材
２１  境界部
２１Ａ  境界壁
２１Ｂ  下面壁
２１Ｃ  前面側壁
２１Ｄ  後面側壁
２２  見切壁
２３  下方配置壁
２４  水切り部材
Ｈ  接合金物配設孔
Ｈ１  前面側接合金物配設孔
Ｈ２  下面側接合金物配設孔
３  接合金物
３１  本体部
３２  階段接合部
３３  梁接合部
４  補助接合金物
Ｇ  シーリング材
Ｐ１  ドア
Ｐ２  デッキ
Ｐ３  ガレージ基礎
Ｐ４  階段ポーチ
Ｒ  屋外階段
Ｔ１  床梁
Ｔ２  欄間パネル
Ｖ１，Ｖ２，Ｖ３  ボルト孔
Ｖ４  ボルト
【図１】
2015135006.tif 000003
【図２】
2015135006.tif 000004
【図３】
2015135006.tif 000005
【図４】
2015135006.tif 000006
【図５】
2015135006.tif 000007
【図６】
2015135006.tif 000008
【図７】
2015135006.tif 000009
【図８】
2015135006.tif 000010
【図９】
2015135006.tif 000011